(57)【要約】【課題】ボイスコイルモータへの非通電状態でもレンズ鏡筒内部での光学素子の移動を防止可能なレンズ鏡筒およびカメラ装置を提供する。【解決手段】光軸方向の一方側および他方側に移動可能な少なくとも１つの可動レンズ群２８を有するレンズ鏡筒１０であって、可動レンズ枠体３０と、可動レンズ群４５および可動レンズ枠体３０を光軸方向に沿って駆動させるボイスコイルモータ５５と、可動レンズ枠体３０に当接するストッパ機構７０とを有し、ストッパ機構７０は、ボイスコイルモータ５５に通電させている間は、可動レンズ枠体３０に当接する当接位置から退避した退避位置と、ボイスコイルモータ５５に非通電の間は、可動レンズ枠体３０に当接する当接位置とに移動するストッパ部材７５と、ストッパ部材７５を退避位置と当接位置との間で移動させる駆動機構７２と、を備える。【選択図】図１
2019109427.tif 000002
【特許請求の範囲】
【請求項１】
光軸方向の一方側および他方側に移動可能な少なくとも１つの可動レンズ群を有するレンズ鏡筒であって、
前記可動レンズ群と一体的に移動する可動レンズ枠体と、
前記可動レンズ群および前記可動レンズ枠体を前記光軸方向に沿って駆動させるボイスコイルモータと、
光軸方向の一方向および他方向への前記可動レンズ枠体の移動を規制するストッパ機構と、
を有し、
前記ストッパ機構は、
前記ボイスコイルモータに通電させている間は、前記可動レンズ枠体に当接する当接位置から退避した退避位置と、前記ボイスコイルモータに非通電の間は、前記可動レンズ枠体に当接する当接位置とに移動するストッパ部材と、
前記ストッパ部材を、前記退避位置と前記当接位置との間で移動させる駆動機構と、
を備えることを特徴とするレンズ鏡筒。
【請求項２】
請求項１記載のレンズ鏡筒であって、
前記ストッパ機構は、前記可動レンズ枠体が前記光軸方向の一方側の端部に移動した際に、前記ストッパ部材と共に前記可動レンズ枠体に当接する当接部材を備えていて、
前記ストッパ部材と前記当接部材とで前記可動レンズ枠体は挟持される、
ことを特徴とするレンズ鏡筒。
【請求項３】
請求項２記載のレンズ鏡筒であって、
前記当接部材は、弾性を備える緩衝材である、
ことを特徴とするレンズ鏡筒。
【請求項４】
請求項２または３記載のレンズ鏡筒であって、
前記可動レンズ群に対応する第１可動レンズ群および第２可動レンズ群とを少なくとも備え、前記可動レンズ枠体に対応する第１可動レンズ枠体および第２可動レンズ枠体を少なくとも備え、
前記第１可動レンズ群は前記第１可動レンズ枠体に支持され、前記第２可動レンズ群は前記第２可動レンズ枠体に支持され、
前記第２可動レンズ枠体には前記ストッパ機構が取り付けられ、
前記第１可動レンズ枠体は前記第２可動レンズ枠体よりも前記光軸方向の一方側に配置され、
前記当接部材は、前記第１可動レンズ枠体よりも前記光軸方向の一方側に配置され、
前記第１可動レンズ枠体と前記第２可動レンズ枠体のいずれか一方のうち、互いに対向する部位には、弾性を有する緩衝材が配置されると共に、
前記ボイスコイルモータの駆動により、前記第１可動レンズ枠体が前記第２可動レンズ枠体と共に前記光軸方向の一方側に押し込まれた際に、前記第１可動レンズ枠体は前記当接部材と前記緩衝部材との間に挟持され、前記第２可動レンズ枠体は前記緩衝部材と前記ストッパ部材とで挟持される、
ことを特徴とするレンズ鏡筒。
【請求項５】
請求項１から４のいずれか１項に記載のレンズ鏡筒であって、
前記可動レンズ枠体には、前記ストッパ部材が係止される係止面を備える段状部を備える長尺状の係止用スリーブ部とが設けられている、
ことを特徴とするレンズ鏡筒。
【請求項６】
請求項５記載のレンズ鏡筒であって、
前記係止用スリーブ部は、前記可動レンズ枠体のスライドをガイドするガイド軸が挿通される長軸状の筒状部よりも前記ボイスコイルモータに近接する側に設けられている、
ことを特徴とするレンズ鏡筒。
【請求項７】
請求項１から６のいずれか１項に記載のレンズ鏡筒であって、
前記駆動機構は、ステッピングモータを備えていて、
前記ストッパ部材は、前記ステッピングモータによって回動させられる回動ストッパである、
ことを特徴とするレンズ鏡筒。
【請求項８】
請求項１から７のいずれか１項に記載のレンズ鏡筒であって、
前記ボイスコイルモータおよび前記駆動機構の駆動を制御する制御手段を備え、
前記制御手段は、前記レンズ鏡筒が取り付けられるカメラ本体の電源オフ、または前記カメラ本体から前記レンズ鏡筒が取り外されたと判断される場合には、前記ボイスコイルモータの駆動を制御して前記第２可動レンズ枠体を前記光軸方向の一方側に移動させ、
前記光軸方向への一方側への前記第２可動レンズ枠体の移動の後に、前記制御手段は、前記駆動機構の駆動を制御して前記ストッパ部材を前記当接位置に移動させる、
ことを特徴とするレンズ鏡筒。
【請求項９】
請求項１から８のいずれか１項に記載のレンズ鏡筒と、
前記レンズ鏡筒が取り付けられているカメラ本体と、
を備えることを特徴とするカメラ装置。
【発明の詳細な説明】
【技術分野】
【０００１】
本発明は、レンズ鏡筒およびカメラ装置に関する。
【背景技術】
【０００２】
デジタルカメラやデジタルビデオカメラにおいては、レンズ等の光学素子をアクチュエータを用いて駆動するものが多い。かかるアクチュエータの中には、たとえば特許文献１に示すように、ボイスコイルモータを用いてレンズ等の光学素子を移動させることで、特に動画撮影等の際にモータ等から生じる騒音が録音されるのを防ぐ構成としているものがある。特許文献１においては、ボイスコイルモータで光学素子をメカニカル端に移動させる際に、衝突音を防ぐ構成について開示されている。
【先行技術文献】
【特許文献】
【０００３】
【特許文献１】特開２０１０−２４３８７７号公報
【発明の概要】
【発明が解決しようとする課題】
【０００４】
ところで、上述のボイスコイルモータにおいては、リードスクリュー等をモータで回転させる構成と異なり、非通電状態では位置保持ができない。したがって、ボイスコイルモータで駆動させられる光学素子が、非通電状態では、ガイド軸に沿って移動可能な距離だけ移動してしまう、という問題がある。
【０００５】
このような光学素子の移動は、レンズ鏡筒内部で衝突による異音を生じさせる場合があり、ユーザに不快な印象を与える虞があるため好ましくない。また、光学素子が長期に亘って繰り返しレンズ鏡筒内部で移動してしまうこと等により、レンズ鏡筒の製品寿命が短くなる虞がある。したがって、ボイスコイルモータへの非通電状態でも、レンズ鏡筒の内部で光学素子の移動を防止できるのが望ましいが、特許文献１に開示の構成では、光学素子の移動を防止することができない。
【０００６】
本発明は上記の事情にもとづきなされたもので、ボイスコイルモータへの非通電状態でもレンズ鏡筒内部での光学素子の移動を防止可能なレンズ鏡筒およびカメラ装置を提供することを目的とする。
【課題を解決するための手段】
【０００７】
上記課題を解決するために、本発明の第１の観点によると、光軸方向の一方側および他方側に移動可能な少なくとも１つの可動レンズ群を有するレンズ鏡筒であって、可動レンズ群と一体的に移動する可動レンズ枠体と、可動レンズ群および可動レンズ枠体を光軸方向に沿って駆動させるボイスコイルモータと、光軸方向の一方向および他方向への可動レンズ枠体の移動を規制するストッパ機構と、を有し、ストッパ機構は、ボイスコイルモータに通電させている間は、可動レンズ枠体に当接する当接位置から退避した退避位置と、ボイスコイルモータに非通電の間は、可動レンズ枠体に当接する当接位置とに移動するストッパ部材と、ストッパ部材を、退避位置と当接位置との間で移動させる駆動機構と、を備えることを特徴とするレンズ鏡筒が提供される。
【０００８】
また、本発明の他の側面は、上述の発明において、ストッパ機構は、可動レンズ枠体が光軸方向の一方側の端部に移動した際に、ストッパ部材と共に可動レンズ枠体に当接する当接部材を備えていて、ストッパ部材と当接部材とで可動レンズ枠体は挟持される、ことが好ましい。
【０００９】
また、本発明の他の側面は、上述の発明において、当接部材は、弾性を備える緩衝材である、ことが好ましい。
【００１０】
また、本発明の他の側面は、上述の発明において、可動レンズ群に対応する第１可動レンズ群および第２可動レンズ群とを少なくとも備え、可動レンズ枠体に対応する第１可動レンズ枠体および第２可動レンズ枠体を少なくとも備え、第１可動レンズ群は第１可動レンズ枠体に支持され、第２可動レンズ群は第２可動レンズ枠体に支持され、第２可動レンズ枠体にはストッパ機構が取り付けられ、第１可動レンズ枠体は第２可動レンズ枠体よりも光軸方向の一方側に配置され、当接部材は、第１可動レンズ枠体よりも光軸方向の一方側に配置され、第１可動レンズ枠体と第２可動レンズ枠体のいずれか一方のうち、互いに対向する部位には、弾性を有する緩衝材が配置されると共に、ボイスコイルモータの駆動により、第１可動レンズ枠体が第２可動レンズ枠体と共に光軸方向の一方側に押し込まれた際に、第１可動レンズ枠体は当接部材と緩衝部材との間に挟持され、第２可動レンズ枠体は緩衝部材とストッパ部材とで挟持される、ことが好ましい。
【００１１】
また、本発明の他の側面は、上述の発明において、可動レンズ枠体には、ストッパ部材が係止される係止面を備える段状部を備える長尺状の係止用スリーブ部とが設けられている、ことが好ましい。
【００１２】
また、本発明の他の側面は、上述の発明において、係止用スリーブ部は、可動レンズ枠体のスライドをガイドするガイド軸が挿通される長軸状の筒状部よりもボイスコイルモータに近接する側に設けられている、ことが好ましい。
【００１３】
また、本発明の他の側面は、上述の発明において、駆動機構は、ステッピングモータを備えていて、ストッパ部材は、ステッピングモータによって回動させられる回動ストッパである、ことが好ましい。
【００１４】
また、本発明の他の側面は、上述の発明において、ボイスコイルモータおよび駆動機構の駆動を制御する制御手段を備え、制御手段は、レンズ鏡筒が取り付けられるカメラ本体の電源オフ、またはカメラ本体からレンズ鏡筒が取り外されたと判断される場合には、ボイスコイルモータの駆動を制御して第２可動レンズ枠体を光軸方向の一方側に移動させ、光軸方向への一方側への第２可動レンズ枠体の移動の後に、制御手段は、駆動機構の駆動を制御してストッパ部材を当接位置に移動させる、ことが好ましい。
【００１５】
また、本発明によると、上述の各発明に係るレンズ鏡筒と、レンズ鏡筒が取り付けられているカメラ本体と、を備えることを特徴とするカメラ装置が提供される。
【発明の効果】
【００１６】
本発明によると、ボイスコイルモータへの非通電状態でもレンズ鏡筒内部での光学素子の移動を防止可能なレンズ鏡筒およびカメラ装置を提供することができる。
【図面の簡単な説明】
【００１７】
【図１】本発明の一実施の形態に係るレンズ鏡筒を示す斜視図である。
【図２】図１に示すレンズ鏡筒を光軸に沿って切断した断面図である。
【図３】図１に示すレンズ鏡筒の光軸に沿って切断すると共に、図２とは周方向で９０度異なる位置におけるレンズ鏡筒の断面図である。
【図４】図１に示すレンズ鏡筒の第１可動レンズ枠体と第２可動レンズ枠体の構成を示す分解斜視図である。
【図５】図１に示すレンズ鏡筒の第１可動レンズ枠体およびその周囲の構成を示す斜視図である。
【図６】図１に示すレンズ鏡筒の第２可動レンズ枠体およびその周囲の構成を示す斜視図である。
【図７】図１に示すレンズ鏡筒のガイド軸の後端側付近の構成を拡大して示す部分断面図である。
【図８】図１に示すレンズ鏡筒のストッパ機構付近の構成を拡大して示す部分的な斜視図であり、第２可動レンズ枠体がスライド可能な状態を示す図である。
【図９】図１に示すレンズ鏡筒のストッパ機構付近の構成を拡大して示す部分的な斜視図であり、第２可動レンズ枠体がスライド不能な状態を示す図である。
【図１０】図１に示すレンズ鏡筒の制御的な構成、およびレンズ鏡筒とカメラ本体を備えるカメラ装置の制御的な構成を示す概略図である。
【発明を実施するための形態】
【００１８】
以下、本発明の一実施の形態に係るレンズ鏡筒１０およびカメラ装置１について、図面に基づいて説明する。なお、以下の説明においては、レンズ鏡筒１０の撮像光学系の光軸Ｌの延伸方向（Ｘ方向）において、被写体側を前側（Ｘ１側）、カメラ本体１００側を後側（Ｘ２側）とする。また、光軸に直交する方向（Ｙ方向）において、光軸Ｌに接近する方向を内側、光軸Ｌから離間する方向を外側とする。また、光軸Ｌを中心とする円周方向を周方向とする。
【００１９】
図１は、本発明の一実施の形態に係るレンズ鏡筒１０を示す斜視図である。図２は、図１に示すレンズ鏡筒１０を光軸Ｌに沿って切断した断面図である。図３は、レンズ鏡筒１０の光軸Ｌに沿って切断すると共に、図２とは周方向で９０度異なる位置におけるレンズ鏡筒１０の断面図である。
【００２０】
図１から図３に示すように、レンズ鏡筒１０は、外周筒部２０を有している。外周筒部２０は、円筒状に設けられ、その円筒状の内部に光学素子等を収納しつつ固定状態または稼働状態で支持する部分である。
【００２１】
この外周筒部２０の前方側（Ｘ１側）には、前端固定枠２１が取り付けられている。前端固定枠２１の内径側には、外周部分に対し後方側（Ｘ２側）に向かい段状をなすフランジ部２１ａが設けられている。このフランジ部２１ａには、第１固定レンズ枠２２の外周部分が固定され、その第１固定レンズ枠２２には第１固定レンズ群４１が取り付けられている。なお、第１固定レンズ枠２２の外周部分には、周方向に間欠的に複数の羽部が設けられていて、その羽部がフランジ部２１ａに固定されている。
【００２２】
一方、フランジ部２１ａには、第２固定レンズ枠２３の外周部分も固定されていて、この第２固定レンズ枠２３に第２固定レンズ群４２が取り付けられている。このとき、第２固定レンズ群４２は第１固定レンズ群４１に近接する状態で取り付けられている。この第２固定レンズ枠２３の外周部分にも、上記の第１固定レンズ枠２２の外周部分と同様の複数の羽部が周方向に間欠的に設けられている。そして、第１固定レンズ枠２２の羽部と第２固定レンズ枠２３の羽部とが、周方向で異なる角度に位置した状態で、フランジ部２１ａに固定されている。
【００２３】
なお、それぞれの羽部の枚数は、２枚以上であれば何枚であっても良いが、第１固定レンズ枠２２の羽部の枚数と、第２固定レンズ枠２３の羽部の枚数とが同一の枚数であることが好ましい。
【００２４】
また、図２および図３に示すように、外周筒部２０の後方側（Ｘ２側）では、第３固定レンズ群４３が第３固定レンズ枠２４を介して取り付けられている。このような取付状態により、後述する第１可動レンズ群４４と第２可動レンズ群４５とが、第２固定レンズ群４２と第３固定レンズ群４３との間の空間に位置する状態となっている。なお、第１可動レンズ群４４と第２可動レンズ群４５とは可動レンズ群に対応するが、これらのうち一方のみが可動レンズ群に対応するものとしても良い。
【００２５】
なお、第１固定レンズ群４１と第２固定レンズ群４２を１つに纏めたレンズ群としても良く、これら以外のレンズ群を有していても良い。また、第１固定レンズ群４１、第２固定レンズ群４２および第３固定レンズ群４３は、１枚のレンズから構成されていても良く、複数枚のレンズから構成されていても良い。
【００２６】
上述した第２固定レンズ群４２と第３固定レンズ群４３の間には、第１可動レンズ群４４と、第２可動レンズ群４５とが配置されている。第１可動レンズ群４４は、第１可動レンズ枠体２５に取り付けられている。また、第２可動レンズ群４５は、第２可動レンズ枠体２８に取り付けられている。なお、第１可動レンズ枠体２５および第２可動レンズ枠体２８は、可動レンズ枠体に対応するが、これらのうち一方のみが可動レンズ枠体に対応するものとしても良い。また、第１可動レンズ群４４および第２可動レンズ群４５は、１枚のレンズから構成されていても良く、複数枚のレンズから構成されていても良い。
【００２７】
図４は、第１可動レンズ枠体２５と第２可動レンズ枠体２８の構成を示す分解斜視図である。図５は、第１可動レンズ枠体２５およびその周囲の構成を示す斜視図である。また、図６は、第２可動レンズ枠体２８およびその周囲の構成を示す斜視図である。
【００２８】
図２から図４に示すように、第１可動レンズ枠体２５は、第２可動レンズ枠体２８よりも前方側（Ｘ１側）に配置されている。また、図４および図５に示すように、第１可動レンズ枠体２５は、レンズ支持枠２６と、第１スライド枠２７とを有している。レンズ支持枠２６は、その内周側で第１可動レンズ群４４を取り付ける部材である。また、第１スライド枠２７は、リング状部２７１を有していて、そのリング状部２７１の内周側にレンズ支持枠２６を固定する状態で取り付けている。
【００２９】
このリング状部２７１には、一対の第１ボイスコイル取付部２７２が設けられている。この第１ボイスコイル取付部２７２には、ボイスコイルモータ５０（図５参照）を構成するコイル部５１が取り付けられている。本実施の形態では、第１ボイスコイル取付部２７２は、リング状部２７１の周方向において概ね１８０度間隔で２箇所存在している。
【００３０】
また、第１スライド枠２７には、第１ガイド腕部２７３がリング状部２７１と一体的に設けられている。第１ガイド腕部２７３は、リング状部２７１の前方側（Ｘ１側）および後方側（Ｘ２側）に向かって延伸するように設けられている。この第１ガイド腕部２７３には、筒状部２７４と、図示を省略する検出用スリーブ部とが設けられている。筒状部２７４は、長尺の筒状部分であり、その内筒部には長尺状のガイド軸Ｇ１が挿入される。また、筒状部２７４に対して、リング状部２７１の周方向における反対側には、板状部２７５が径方向の外方側に突出していて、その板状部分の凹溝２７６には、長尺状のガイド軸Ｇ２が挿入されている。
【００３１】
このように、リング状部２７１の周方向において概ね１８０度間隔で第１ボイスコイル取付部２７２が配置され、さらに一対のガイド軸Ｇ１，Ｇ２もリング状部２７１の周方向において概ね１８０度間隔で配置されている。それにより、第１可動レンズ枠体２５は、一対のガイド軸Ｇ１，Ｇ２に沿って安定的に光軸方向（Ｘ方向）にスライド可能となっている。
【００３２】
なお、図５に示すように、それぞれの第１ボイスコイル取付部２７２には、ボイスコイルモータ５０を構成するコイル部５１が取り付けられている。ボイスコイルモータ５０は、コイル部５１以外に、外周筒部２０に取り付けられるヨーク５２および磁石５３を備えている。それにより、コイル部５１に導通させる電流の向きおよび大きさを制御することで、第１可動レンズ枠体２５の移動を制御可能となっている。また、図示を省略する検出用スリーブ部には、第１可動レンズ枠体２５のスライド量を検出するための磁気センサ９０（図１０参照）のマグネットシート（図示省略）を取り付けるための部位が設けられている。なお、磁気センサ９０は、上述したマグネットシートと非接触で対向する磁気抵抗素子やホール素子等のようなセンサ素子を備えている。なお、第１可動レンズ枠体２５のスライド量を検出するセンサとしては、光学的にスライド量を検出可能なエンコーダ等のように、磁気センサ９０以外のセンサを用いても良い。
【００３３】
また、図５に示すように、リング状部２７１には、緩衝材６０が取り付けられている。緩衝材６０は、第１可動レンズ枠体２５と第２可動レンズ枠体２８との間の衝突の際の、衝撃を緩和するものであり、エラストマーやスポンジ等のような弾性を備える材質から形成されている。図５に示す構成では、３つの緩衝材６０が１２０度間隔で取り付けられているが、緩衝材６０を取り付ける個数は幾つであっても良い。
【００３４】
次に、第２可動レンズ枠体２８およびその周辺の構成について説明する。図６に示すように、第２可動レンズ枠体２８は、レンズ支持枠２９と、第２スライド枠３０とを有している。レンズ支持枠２９は、その内周側で第２可動レンズ群４５を取り付ける部材である。また、第２スライド枠３０は、リング状部３０１を有していて、そのリング状部３０１の内周側にレンズ支持枠２９を固定する状態で取り付けている。なお、第１スライド枠２７と第２スライド枠３０は、スライド枠に対応するが、これらのうち一方のみがスライド枠に対応するものとしても良い。
【００３５】
なお、図４から明らかなように、第２可動レンズ枠体２８は、第１可動レンズ枠体２５よりも後方側（Ｘ２側）に位置している。そして、第２可動レンズ枠体２８が前方側（Ｘ１側）に向かってスライドした際には、第２可動レンズ枠体２８は第１可動レンズ枠体２５を前方側（Ｘ１）に押し込んで移動させることが可能となっている。
【００３６】
リング状部３０１には、第２ボイスコイル取付部３０２が設けられている。第２ボイスコイル取付部３０２には、ボイスコイルモータ５５（図６参照）を構成するコイル部５６が取り付けられている。なお、第２ボイスコイル取付部３０２も、第１ボイスコイル取付部２７２と同様に、リング状部３０１の周方向において概ね１８０度間隔で２箇所存在している。
【００３７】
また、第２スライド枠３０には、第２ガイド腕部３０３がリング状部３０１と一体的に設けられている。この第２ガイド腕部３０３は、リング状部３０１よりも前方側（Ｘ１側）に向かって延伸するように設けられている。第２ガイド腕部３０３には、筒状部３０４と、検出用スリーブ部３０５と、係止用スリーブ部３０６とが設けられている。
【００３８】
筒状部３０４は、上述した筒状部２７４と同様に、長尺の筒状部分であり、その内筒部には長尺状のガイド軸Ｇ３が挿入される。また、筒状部３０４に対して、リング状部３０１の周方向における反対側には、板状部３０７が径方向の外方側に突出していて、その板状部分の凹溝３０８には、長尺状のガイド軸Ｇ４が挿入されている。
【００３９】
したがって、リング状部３０１においても、その周方向において概ね１８０度間隔で第２ボイスコイル取付部３０２が配置され、さらに一対のガイド軸Ｇ３，Ｇ４もリング状部３０１の周方向において概ね１８０度間隔で配置されている。それにより、第２可動レンズ枠体２８は、一対のガイド軸Ｇ３，Ｇ４に沿って安定的に光軸方向（Ｘ方向）にスライド可能となっている。
【００４０】
なお、図６に示すように、それぞれの第２ボイスコイル取付部３０２には、ボイスコイルモータ５５を構成するコイル部５６が取り付けられている。このボイスコイルモータ５５は、上述した５５と同様に、コイル部５６以外に、外周筒部２０に取り付けられるヨーク５７および磁石５８を備えている。このため、コイル部５６に導通させる電流の向きおよび大きさを制御することで、第２可動レンズ枠体２８の移動を制御可能となっている。
【００４１】
図６に示すように、筒状部３０４の周方向における一方側には、検出用スリーブ部３０５が隣接して設けられている。この検出用スリーブ部３０５には、第２可動レンズ枠体２８のスライド量を検出するための磁気センサ９５（図１０参照）のマグネットシート（図示省略）を取り付けるための部位が設けられている。なお、磁気センサ９５は、上述した磁気センサ９０と同様のセンサであり、その説明は省略する。
【００４２】
また、筒状部３０４の周方向における他方側には、長尺状の係止用スリーブ部３０６が隣接して設けられている。具体的には、係止用スリーブ部３０６は、筒状部３０４よりもボイスコイルモータ５５に近接する側に設けられている。この係止用スリーブ部３０６は、第２可動レンズ枠体２８が前方側（Ｘ１側）にスライド（移動）した際に、第２可動レンズ枠体２８が後方側（Ｘ２側）に戻らないようにするための部分である。これを実現するために、係止用スリーブ部３０６には、光軸方向（Ｘ方向）に沿う平面部３０６ａから窪む係止凹部３０９が設けられていて、その係止凹部３０９に後述する係止突起７５ｃが嵌まり込む。そして、係止突起７５ｃが係止凹部３０９の前側（Ｘ１側）の端面３０９ａ（係止面に対応）に当接することで、第２可動レンズ枠体２８が後方側（Ｘ２側）に戻るのを防止している。なお、係止凹部３０９は、段状部に対応する。
【００４３】
なお、ガイド軸Ｇ３の後端側（Ｘ２側）には、リング状の緩衝材６５が取り付けられている。緩衝材６５は、たとえばゴム等のような弾性を備える材質から形成されている。図７は、ガイド軸Ｇ３の後端側（Ｘ２側）付近の構成を拡大して示す部分断面図である。図７に示すように、緩衝材６５は、外周筒部２０と第２スライド枠３０の間に介在し、ガイド軸Ｇ３に固定されている。この緩衝材６５の存在により、第２スライド枠３０（筒状部３０４）が外周筒部２０と衝突するのを防止できる。また、緩衝材６５は、弾性を備えているので、第２スライド枠３０が衝突しても、衝突音の発生を防止可能となる。
【００４４】
なお、緩衝材６５と同様の緩衝材６６（図１０参照）は、ガイド軸Ｇ１の前端側（Ｘ１側）にも設けられていて、この緩衝材６６がガイド軸Ｇ１に固定されている。それにより、第１スライド枠２７（筒状部２７４）が前端固定枠２１と衝突するのを防止できる。また、緩衝材６６は、弾性を備えているので、第２スライド枠３０が衝突しても、衝突音の発生を防止可能となる。なお、緩衝材６６は当接部材に対応するが、緩衝材６５も当接部材に対応するものとしても良い。
【００４５】
また、図６に示すように、レンズ鏡筒１０には、第２可動レンズ枠体２８が前方側（Ｘ１側）にスライドした際に、第２可動レンズ枠体２８を前方側（Ｘ１側）で係止させて後方側（Ｘ２側）に戻るのを防止するための、ストッパ機構７０が設けられている。かかるストッパ機構７０について、図８および図９に基づいて説明する。図８は、ストッパ機構７０付近の構成を拡大して示す部分的な斜視図であり、第２可動レンズ枠体２８がスライド可能な状態を示す図である。図９は、ストッパ機構７０付近の構成を拡大して示す部分的な斜視図であり、第２可動レンズ枠体２８がスライド不能な状態を示す図である。
【００４６】
図８および図９に示すように、ストッパ機構７０は、取付フレーム７１と、駆動モータ７２と、ピニオンギヤ７３と、中間ギヤ７４と、回動ストッパ７５とを備えている。これらのうち、取付フレーム７１は、光軸方向（Ｘ方向）を長手とする固定片部７１ａを備えていて、この固定片部７１ａが外周筒部２０に固定されることで、ストッパ機構７０の全体が外周筒部２０に支持される。また、取付フレーム７１には、固定片部７１ａに直交するように駆動支持片部７１ｂも設けられている。駆動支持片部７１ｂは、駆動モータ７２を固定すると共に、出力ギヤ７３、中間ギヤ７４および回動ストッパ７５が回転自在な状態で支持している。なお、取付フレーム７１は、固定片部７１ａや駆動支持片部７１ｂ以外の片部を有していても良く、有していなくても良い。
【００４７】
駆動モータ７２は、後述する回動ストッパ７５を回動させるための駆動力を与える部分である。この駆動モータ７２としては、パルス電力の印加に基づいて位置制御可能なステッピングモータが好ましい。しかしながら、ＤＣモータや超音波モータ等、その他のモータを用いても良く、ソレノイド等を用いても良い。なお、駆動モータ７２は、駆動機構に対応する。
【００４８】
また、出力ギヤ７３は、駆動モータ７２の出力軸７２ａに取り付けられていて、中間ギヤ７４と噛み合っている。そのため、駆動モータ７２の駆動により出力ギヤ７３が回転させられると、中間ギヤ７４も回転させられる。また、中間ギヤ７４は、回動ストッパ７５のギヤ部７５ｂと噛み合っている。なお、回動ストッパ７５は、ストッパ部材に対応する。この回動ストッパ７５は、円柱状の部位の一部にギヤ部７５ｂが間欠的に形成されている間欠ギヤ部７５ａを備えている。
【００４９】
また、回動ストッパ７５には係止突起７５ｃが設けられている。係止突起７５ｃは、間欠ギヤ部７５ａのうちギヤ部７５ｂが形成されていない外周面から径方向の外側に延伸する柱状の部位である。この係止突起７５ｃは、上述した係止凹部３０９に対して挿抜自在な部分となっている。
【００５０】
すなわち、図８に示すように、駆動モータ７２の駆動により、係止突起７５ｃは係止凹部３０９に挿入されない退避位置に位置させることが可能となっている。このとき、第２可動レンズ枠体２８（第２スライド枠３０）は、光軸方向（Ｘ方向）における前側（Ｘ１側）および後側（Ｘ２）のいずれにも、自在にスライド可能となっている。これに対して、図９に示すように、第２可動レンズ枠体２８（第２スライド枠３０）が最も前側（Ｘ１側）に移動した状態で、駆動モータ７２を駆動させることで、係止突起７５ｃは係止凹部３０９に挿入される当接位置に位置させることが可能となっている。このとき、係止突起７５ｃは係止凹部３０９の端面３０９ａに当接する。それにより、第２可動レンズ枠体２８（第２スライド枠３０）は、後側（Ｘ２側）に移動するのを防止可能となっている。
【００５１】
また、レンズ鏡筒１０は、レンズ制御部１００を備えている。なお、レンズ制御部１００は、制御手段に対応するが、後述する本体制御部１２０も制御手段に対応するものとしても良い。図１０は、図１に示すレンズ鏡筒１０の制御的な構成、およびレンズ鏡筒１０とカメラ本体１１０を備えるカメラ装置１の制御的な構成を示す概略図である。図１０に示すように、レンズ制御部１００は、レンズ鏡筒１０の全体的な作動を司る部分である。このレンズ制御部１００は、ＣＰＵ（Central Processing Unit）、ＲＯＭ(Read Only Memory)、ＲＡＭ（Random Access Memory）、不揮発性メモリ等の外部メモリを備えるマイクロコンピュータから構成することができる。
【００５２】
このレンズ制御部１００は、カメラ本体１１０の本体制御部１２０と電気的信号を送受信可能としている。そして、レンズ制御部１００は、本体制御部１２０からの電気的な信号の受信に基づいて、ボイスコイルモータ５０，５５の駆動を制御することができる。しかしながら、レンズ制御部１００は、本体制御部１２０からの電気的な信号の受信に基づかずに、ボイスコイルモータ５０，５５の駆動を制御するようにしても良い。
【００５３】
なお、レンズ制御部１００は、レンズ鏡筒１０に存在しているが、カメラ本体１１０側に存在する構成を採用しても良い。また、本体制御部１２０は、ＣＰＵ（Central Processing Unit）、ＲＯＭ(Read Only Memory)、ＲＡＭ（Random Access Memory）、不揮発性メモリ等の外部メモリを備えるマイクロコンピュータから構成することができる。
【００５４】
また、図１０に示すように、本体制御部１２０には、電源ボタン１２１やリリースボタン１２２と電気的に接続されている。そして、電源ボタン１２１を押下して電源オフまたは電源オンとした場合には、電源オフまたは電源オンに関する電気的な信号がレンズ制御部１００に供給される。また、リリースボタン１２２を押下してレンズ鏡筒１０がカメラ本体１１０から外された場合には、その旨の電気的な信号がレンズ制御部１００に供給される。
【００５５】
＜作用について＞
以上のような構成のレンズ鏡筒１０およびカメラ装置１においては、カメラ装置１およびレンズ鏡筒１０の使用状態では、ボイスコイルモータ５０およびボイスコイルモータ５５が駆動され、第１可動レンズ枠体２５（第１可動レンズ群４４）および第２可動レンズ枠体２８（第２可動レンズ群４５）を所望の位置に移動させて、焦点合わせを行う。このとき、第２可動レンズ枠体２８（第２可動レンズ群４５）は、最も前方側（Ｘ１側）よりも後方側（Ｘ２側）に位置した状態で、焦点合わせを行う。また、第１可動レンズ枠体２５（第１可動レンズ群４４）も、レンズ制御部１００でのボイスコイルモータ５０の制御駆動により、所望の位置に移動させられる。
【００５６】
そして、レンズ鏡筒１０およびカメラ装置１を使用した後に、電源ボタン１２１またはリリースボタン１２２を押下すると、本体制御部１２０は電源オフに対応する信号をレンズ制御部１００に送信する。すると、レンズ制御部１００は、ボイスコイルモータ５５を駆動させて、第２可動レンズ枠体２８（第２可動レンズ群４５）を前方側（Ｘ１側）に移動させる。
【００５７】
このとき、第１可動レンズ枠体２５（第１可動レンズ群４４）は、第２可動レンズ枠体２８（第２可動レンズ群４５）によって前方側（Ｘ１側）に押し込まれる。しかしながら、第１スライド枠２７のうち第２スライド枠３０と対向する部位には、緩衝材６０が取り付けられているので、上述の押し込みの際に、第１可動レンズ枠体２５（第１可動レンズ群４４）と第２可動レンズ枠体２８（第２可動レンズ群４５）の衝突による異音が発生するのを防止可能となっている。
【００５８】
なお、第２可動レンズ枠体２８（第２可動レンズ群４５）は、ガイド軸Ｇ１に取り付けられている緩衝材６６（図１０参照）が、前端固定枠２１と衝突する部位まで第１可動レンズ枠体２５（第１可動レンズ群４４）を押し込むように、ボイスコイルモータ５５を駆動させ、磁気センサ９５で第１可動レンズ枠体２５（第１可動レンズ群４４）が最も前方側（Ｘ１側）に移動したことを検出したとレンズ制御部１００で判断された後に、レンズ制御部１００は、ボイスコイルモータ５５の駆動を停止させる。すると、ボイスコイルモータ５５が非通電状態となり、このボイスコイルモータ５５によっては、第２可動レンズ枠体２８（第２可動レンズ群４５）の位置保持が不能な状態となる。
【００５９】
ここで、磁気センサ９５において、第１可動レンズ枠体２５（第１可動レンズ群４４）が最も前方側（Ｘ１側）に移動したことを検出した後に、レンズ制御部１００は、回動ストッパ７５の係止突起７５ｃが係止凹部３０９に入り込むように、駆動モータ７２の駆動を制御する。そして、係止突起７５ｃが係止凹部３０９に入り込むと、係止突起７５ｃが端面３０９ａに当接して、第２可動レンズ枠体２８（第２可動レンズ群４５）が後方側（Ｘ２側）に移動しようとするのが阻止される。それにより、第２可動レンズ枠体２８（第２可動レンズ群４５）および第１可動レンズ枠体２５（第１可動レンズ群４４）は、前方側（Ｘ１側）に位置した状態を維持可能となり、レンズ鏡筒１０の内部でこれらが移動することによる騒音の発生を防ぐことができる。
【００６０】
＜効果について＞
以上のような構成のレンズ鏡筒１０およびカメラ装置１によると、次のような効果を生じさせることができる。すなわち、光軸Ｌ方向の一方側および他方側に移動可能な第２可動レンズ群４５（可動レンズ群）を有するレンズ鏡筒１０であって、第２可動レンズ群４５（可動レンズ群）と一体的に移動する第２可動レンズ枠体２８（可動レンズ枠体）と、第２可動レンズ枠体２８（可動レンズ群）および第２可動レンズ枠体２８（可動レンズ枠体）を光軸Ｌ方向に沿って駆動させるボイスコイルモータ５５と、光軸Ｌ方向の一方向および他方向への第２可動レンズ枠体２８（可動レンズ枠体）の移動を規制するストッパ機構７０とを有している。そして、ストッパ機構７０は、ボイスコイルモータ５５に通電させている間は、第２可動レンズ枠体２８（可動レンズ枠体）に当接する当接位置から退避した退避位置と、ボイスコイルモータ５５に非通電の間は、第２可動レンズ枠体２８（可動レンズ枠体）に当接する当接位置とに移動する回動ストッパ７５（ストッパ部材）と、回動ストッパ７５（ストッパ部材）を、退避位置と当接位置との間で移動させる駆動モータ７２（駆動機構）と、を備えている。
【００６１】
このため、ボイスコイルモータ５５に非通電の状態では、駆動モータ７２（駆動機構）の駆動により、回動ストッパ７５（ストッパ部材）は、第２可動レンズ枠体２８（可動レンズ枠体）に当接しない退避位置から、第２可動レンズ枠体２８（可動レンズ枠体）に当接する当接位置へと移動する。そのため、ボイスコイルモータ５５が非通電の状態で、第２可動レンズ枠体２８（可動レンズ枠体）が移動してしまうのを防止可能となる。そのため、レンズ鏡筒１０の内部で、第２可動レンズ枠体２８が移動することによる異音が生じるのを防止することが可能となる。それにより、ユーザに不快な印象を与えるのを防ぐことができる。
【００６２】
また、第２可動レンズ枠体２８が移動するのを防止することで、第２可動レンズ群４５がレンズ鏡筒１０の内部で衝突するのを防止可能となる。そのため、レンズ鏡筒１０の製品寿命が短くなるのを防止可能となる。
【００６３】
また、本実施の形態では、ストッパ機構７０は、第１可動レンズ枠体２５および第２可動レンズ枠体２８（可動レンズ枠体）が光軸Ｌ方向の一方側の端部（Ｘ１側の端部）に移動した際に、回動ストッパ７５（ストッパ部材）と共に第１可動レンズ枠体２５（可動レンズ枠体）に当接する緩衝材６６（当接部材）を備えている。そして、回動ストッパ７５（ストッパ部材）と緩衝材６６（当接部材）とで、第１可動レンズ枠体２５および第２可動レンズ枠体２８（可動レンズ枠体）は挟持される。
【００６４】
このため、第１可動レンズ枠体２５（第１可動レンズ群４４）と第２可動レンズ枠体２８（第２可動レンズ群４５）とが存在する場合のように、可動レンズ枠体（可動レンズ群）が２つ以上存在していても、回動ストッパ７５と緩衝材６６との間にこれらを挟持させることができる。したがって、第１可動レンズ枠体２５（第１可動レンズ群４４）と第２可動レンズ枠体２８（第２可動レンズ群４５）とが移動してしまうのを良好に防止することが可能となり、レンズ鏡筒１０の内部で、衝突による異音が生じるのを防止することが可能となる。それにより、ユーザに不快な印象を与えるのを防ぐことができる。また、上述の衝突防止により、レンズ鏡筒１０の製品寿命が短くなるのを防止可能となる。
【００６５】
さらに、本実施の形態では、当接部材は、弾性を備える緩衝材６６である。このため、第１可動レンズ枠体２５の前方の端部側（Ｘ１側）に際して、第２可動レンズ枠体２８が前端固定枠２１等のような筐体の一部に衝突するのを防ぐことができ、衝突による異音が発生するのを防止可能となる。また、第１可動レンズ枠体２５を前方の端部側（Ｘ１側）に移動させる際に、第１可動レンズ枠体２５を緩衝材６６の弾性力に抗して第１可動レンズ枠体２５を押し込むことが可能となる。そのため、回動ストッパ７５（ストッパ部材）と緩衝材６６（当接部材）とによる、第１可動レンズ枠体２５および第２可動レンズ枠体２８（可動レンズ枠体）の挟持は、これらの移動によるガタつきのない状態とすることができる。
【００６６】
また、本実施の形態では、可動レンズ群に対応する第１可動レンズ群４４および第２可動レンズ群４５とを少なくとも備え、可動レンズ枠体に対応する第１可動レンズ枠体２５および第２可動レンズ枠体２８を少なくとも備えている。また、第１可動レンズ群４４は第１可動レンズ枠体２５に支持され、第２可動レンズ群４５は第２可動レンズ枠体２８に支持されている。また、第２可動レンズ枠体２８にはストッパ機構７０が取り付けられている。また、第１可動レンズ枠体２５は第２可動レンズ枠体２８よりも光軸Ｌ方向の一方側（Ｘ１側）に配置され、緩衝材６６（当接部材）は、第１可動レンズ枠体２５よりも光軸Ｌ方向の一方側（Ｘ１側）に配置されている。また、第１可動レンズ枠体２５と第２可動レンズ枠体２８のいずれか一方のうち、互いに対向する部位には、弾性を有する緩衝材６０が配置されている。加えて、ボイスコイルモータ５５の駆動により、第１可動レンズ枠体２５が第２可動レンズ枠体２８と共に光軸Ｌ方向の一方側（Ｘ１側）に押し込まれた際に、第１可動レンズ枠体２５は緩衝材６６（当接部材）と緩衝材６０との間に挟持されると共に、第２可動レンズ枠体２８は緩衝材６０と回動ストッパ７５（ストッパ部材）とで挟持される。
【００６７】
このため、ボイスコイルモータ５５を駆動させて、第２可動レンズ枠体２８を光軸Ｌ方向の前方の端部側（一方側；Ｘ１側）に移動させると、第２可動レンズ枠体２８が第１可動レンズ枠体２５を押し込む。このとき、第１可動レンズ枠体２５と第２可動レンズ枠体２８の間には、緩衝材６０が配置されているので、両者の間で、衝突による異音が生じるのを防止可能となる。
【００６８】
また、ストッパ機構７０の駆動モータ７２（駆動機構）を作動させて、回動ストッパ７５（ストッパ部材）を第２可動レンズ枠体２８に当接させることで、第１可動レンズ枠体２５と第２可動レンズ枠体２８は、それらの間に緩衝材６０が存在する状態で、回動ストッパ７５（ストッパ部材）と緩衝材６６（当接部材）の間に挟持される。したがって、第１可動レンズ枠体２５（第１可動レンズ群４４）および第２可動レンズ枠体２８（第２可動レンズ群４５）が、レンズ鏡筒１０の内部で移動するのを一層良好に防止可能となり、レンズ鏡筒１０の内部で、これらの衝突による異音が生じるのを防止することが可能となる。それにより、ユーザに不快な印象を与えるのを防ぐことができる。また、上述の衝突防止により、レンズ鏡筒１０の製品寿命が短くなるのを防止可能となる。
【００６９】
さらに、本実施の形態では、第２可動レンズ枠体２８（可動レンズ枠体）には、回動ストッパ７５（ストッパ部材）が係止される端面３０９ａ（係止面）を備える係止凹部３０９（段状部）を備える長尺状の係止用スリーブ部３０６とが設けられている。
【００７０】
このため、係止凹部３０９（段状部）は、長尺状の係止用スリーブ部３０６に設けられるので、係止凹部３０９（段状部）を設ける際の位置的な選択性を高めることが可能となる。また、長尺状の係止用スリーブ部３０６が存在せず、リング状部３０１やレンズ支持枠２９に係止凹部（段状部）を形成する場合には、係止凹部３０９に回動ストッパ７５が入り込むことで、第１可動レンズ枠体２５と第２可動レンズ枠体２８とが挟持された際に、リング状部３０１やレンズ支持枠２９に負荷がかかり、これらの変形等によって第２可動レンズ群４５の光軸ずれを生じ易い状態となる。しかしながら、位置的な選択性の高い長尺状の係止用スリーブ部３０６に、係止凹部３０９（段状部）を設けることにより、リング状部３０１やレンズ支持枠２９に負荷がかかって変形してしまうのを防止可能となるので、第２可動レンズ群４５の光軸ずれが生じるのを良好に防止可能となる。
【００７１】
また、本実施の形態では、係止用スリーブ部３０６は、第２可動レンズ枠体２８（可動レンズ枠体）のスライドをガイドするガイド軸Ｇ３が挿通される長軸状の筒状部よりもボイスコイルモータ５５に近接する側に設けられている。このため、第２可動レンズ枠体２８においては、係止用スリーブ部３０６が設けられている側の重量を大きくすることができる。そして、重量の大きな係止用スリーブ部３０６側の係止凹部３０９（段状部）に回動ストッパ７５（ストッパ部材）を当接させて第２可動レンズ枠体２８を停止させ、第１可動レンズ枠体２５と第２可動レンズ枠体２８を挟持させた際のガタつきが生じ難い状態となる。
【００７２】
すなわち、上記とは逆に、係止用スリーブ部３０６が筒状部３０４よりもボイスコイルモータ５５から離れた側に設けられている場合には、ボイスコイルモータ５５から離れていることで、第２可動レンズ枠体２８において、係止用スリーブ部３０６が設けられている側の重量が小さくなる。その場合、係止用スリーブ部３０６の係止凹部３０９（段状部）に回動ストッパ７５（ストッパ部材）を当接させると、ボイスコイルモータ５５等の重量のある部分の慣性により、第２可動レンズ枠体２８がガタ付き易くなる。しかしながら、第２可動レンズ枠体２８において、係止用スリーブ部３０６が設けられている側の重量を大きくすることで、第２可動レンズ枠体２８を停止させ、上述した第１可動レンズ枠体２５と第２可動レンズ枠体２８を挟持させた際のガタつきが生じ難い状態となる。
【００７３】
さらに、本実施の形態では、ストッパ機構７０の駆動モータ７２（駆動機構）は、ステッピングモータであり、ストッパ部材は、駆動モータ７２（ステッピングモータ）によって回動させられる回動ストッパ７５である。
【００７４】
このため、回動ストッパ７５（ストッパ部材）の変位量（回動量）を、駆動モータ７２（ステッピングモータ）のステップ数（パルス数）により容易に管理することが可能となる。ここで、駆動モータ７２（駆動機構）がたとえばＤＣモータであり、回動ストッパ７５（ストッパ部材）の変位量（回動量）を、エンコーダ等を用いて管理する場合には、レンズ鏡筒１０の大型化を招く虞があるが、かかる大型化を防ぐことができる。また、駆動機構としてソレノイドを用いる場合と比較すると、駆動モータ７２としてステッピングモータを用いることで、レンズ鏡筒１０の小型化を図ることができる。
【００７５】
また、本実施の形態では、ボイスコイルモータ５５および駆動モータ７２（ステッピングモータ）の駆動を制御するレンズ制御部１００（制御手段）を備えている。そして、レンズ制御部１００（制御手段）は、レンズ鏡筒１０が取り付けられるカメラ本体１１０の電源オフ、またはカメラ本体１１０からレンズ鏡筒１０が取り外されたと判断される場合には、ボイスコイルモータ５５の駆動を制御して第２可動レンズ枠体２８を光軸Ｌ方向の一方側に移動させて、第１可動レンズ枠体２５が緩衝材６６（当接部材）と緩衝材６０との間に挟持され、第２可動レンズ枠体２８が緩衝材６０と回動ストッパ７５（ストッパ部材）とで挟持される挟持状態とする。また、挟持状態の後に、レンズ制御部１００（制御手段）は、駆動モータ７２（ステッピングモータ）の駆動を制御して、回動ストッパ７５（回動ストッパ）を退避位置から当接位置に回動させることで、回動ストッパ７５が係止凹部３０９（段状部）の端面３０９ａ（係止面）に係止される。
【００７６】
このため、ボイスコイルモータ５５の非通電状態となるのに先立って、レンズ制御部１００でのボイスコイルモータ５５および駆動モータ７２（ステッピングモータ）の制御駆動により、第１可動レンズ枠体２５と第２可動レンズ枠体２８との上述した挟持状態を実現可能となる。それにより、第１可動レンズ枠体２５（第１可動レンズ群４４）および第２可動レンズ枠体２８（第２可動レンズ群４５）が、レンズ鏡筒１０の内部で移動するのを一層良好に防止可能となり、レンズ鏡筒１０の内部で、これらの衝突による異音が生じるのを防止することが可能となる。それにより、ユーザに不快な印象を与えるのを防ぐことができる。また、上述の衝突防止により、レンズ鏡筒１０の製品寿命が短くなるのを防止可能となる。
【００７７】
さらに、本実施の形態のカメラ装置１は、レンズ鏡筒１０と、このレンズ鏡筒１０が取り付けられているカメラ本体１１０を備えている。このため、カメラ装置１のレンズ鏡筒１０では、ボイスコイルモータ５５が非通電の状態で、第２可動レンズ枠体２８（可動レンズ枠体）が移動してしまうのを防止可能となる。そのため、レンズ鏡筒１０の内部で、第２可動レンズ枠体２８が移動することによる異音が生じるのを防止することが可能となる。それにより、ユーザに不快な印象を与えるのを防ぐことができる。
【００７８】
また、第２可動レンズ枠体２８が移動するのを防止することで、第２可動レンズ群４５がレンズ鏡筒１０の内部で衝突するのを防止可能となる。そのため、レンズ鏡筒１０の製品寿命が短くなるのを防止可能となる。
【００７９】
＜変形例＞
以上、本発明の一実施の形態について説明したが、本発明はこれ以外にも種々変形可能となっている。以下、それについて述べる。
【００８０】
上述の実施の形態においては、可動レンズ群として、焦点合わせを行う第１可動レンズ群４４および第２可動レンズ群４５について説明している。しかしながら、可動レンズ群は、焦点合わせを行う第１可動レンズ群４４および第２可動レンズ群４５に限られるものではない。たとえば、ズームレンズを構成するレンズ群を、可動レンズ群としても良い。
【００８１】
また、上述の実施の形態では、可動レンズ群には第１可動レンズ群４４と第２可動レンズ群４５が対応しているが、いずれか１つのみを有する構成でも良く、第１可動レンズ群４４と第２可動レンズ群４５以外の可動レンズ群を有する構成としても良い。また、可動レンズ枠体には第１可動レンズ枠体２５と第２可動レンズ枠体２８が対応しているが、いずれか１つのみを有する構成でも良く、第１可動レンズ枠体２５と第２可動レンズ枠体２８以外の可動レンズ枠体を有する構成としても良い。
【００８２】
また、上述の実施の形態では、ストッパ部材には回動ストッパ７５が対応するものとしている。しかしながら、ストッパ部材は、回動ストッパ７５以外のものであっても良い。たとえば、エラストマーのような摩擦係数の高い部材をストッパ部材に対応させても良い。この場合、駆動モータ７２の駆動によって係止用スリーブ部３０６のいずれかの部位に押し付けることで、第２可動レンズ枠体２８が移動するのを阻止する構成を採用しても良い。また、ストッパ部材は、係止突起７５ｃに相当する部材を直線的に移動させて、係止凹部３０９に挿抜し、当接位置と退避位置とに移動させる構成としても良い。
【００８３】
また、たとえば係止凹部３０９の幅を回動ストッパ７５と同程度に形成する場合、係止凹部３０９に回動ストッパ７５が入り込むと、ボイスコイルモータ５５が非通電の状態で、第２可動レンズ枠体２８（可動レンズ枠体）が移動してしまうのを防止可能となる。この場合には、回動ストッパ７５と共に係止凹部３０９がストッパ部材に対応するものとしても良い。なお、係止凹部３０９がストッパ部材の一部に対応する場合、係止凹部３０９には、回動ストッパ７５が入り込むのをガイドするために、回動ストッパ７５の移動方向に対して傾斜するテーパ部を設けるようにしても良い。
【００８４】
また、上述の実施の形態では、当接部材には緩衝材６６が対応するものとしている。しかしながら、当接部材は緩衝材６６に限られるものではなく、前端固定枠２１や外周筒部２０、その他の部材が当接部材に対応するものとしても良い。
【００８５】
また、上述の実施の形態では、第１可動レンズ枠体２５と第２可動レンズ枠体２８の間に、緩衝材６０が配置される構成を採用している。しかしながら、緩衝材６０を設けずにバネ等の弾性部材を設ける構成を採用しても良い。また、緩衝材６０に対応する部材を設けない構成を採用しても良い。
【００８６】
また、上述の実施の形態では、段状部には係止凹部３０９が対応するものとしている。しかしながら、段状部には、係止凹部３０９以外に、突起状の部材が対応するものとしても良い。
【符号の説明】
【００８７】
１…カメラ装置、１０…レンズ鏡筒、２０…外周筒部、２１…前端固定枠、２１ａ…フランジ部、２２…第１固定レンズ枠、２３…第２固定レンズ枠、２３…第２固定レンズ枠、２４…第３固定レンズ枠、２５…第１可動レンズ枠体（可動レンズ枠体に対応）、２６…レンズ支持枠、２７…第１スライド枠（スライド枠に対応）、２８…第２可動レンズ枠体（可動レンズ枠体に対応）、２９…レンズ支持枠、３０…第２スライド枠（スライド枠に対応）、４１…第１固定レンズ群、４２…第２固定レンズ群、４３…第３固定レンズ群、４４…第１可動レンズ群（可動レンズ群に対応）、４５…第２可動レンズ群（可動レンズ群に対応）、５０，５５…ボイスコイルモータ、５１，…コイル部、５２，５７…ヨーク、５３，５８…磁石、６０…緩衝材、６５，６６…緩衝材（当接部材に対応）、７０…ストッパ機構、７１…取付フレーム、７１ａ…固定片部、７１ｂ…駆動支持片部、７２…駆動モータ（駆動機構に対応）、７２ａ…出力軸、７３…出力ギヤ、７４…中間ギヤ、７５…回動ストッパ、７５ａ…間欠ギヤ部、７５ｂ…ギヤ部、７５ｃ…係止突起、９０，９５……磁気センサ、１００…レンズ制御部（制御手段に対応）、１１０…カメラ本体、１２０…本体制御部、１２１…電源ボタン、１２２…リリースボタン、２７１…リング状部、２７２…第１ボイスコイル取付部、２７３…第１ガイド腕部、２７４…筒状部、２７５…板状部、２７６…凹溝、３０１…リング状部、３０２…第２ボイスコイル取付部、３０３…第２ガイド腕部、３０４…筒状部、３０５…検出用スリーブ部、３０６…係止用スリーブ部、３０６ａ…平面部、３０７…板状部、３０８…凹溝、３０９…係止凹部（段状部）、３０９ａ…端面（係止面に対応）、Ｇ１〜Ｇ４…ガイド軸、Ｌ…光軸
【図１】
2019109427.tif 000003
【図２】
2019109427.tif 000004
【図３】
2019109427.tif 000005
【図４】
2019109427.tif 000006
【図５】
2019109427.tif 000007
【図６】
2019109427.tif 000008
【図７】
2019109427.tif 000009
【図８】
2019109427.tif 000010
【図９】
2019109427.tif 000011
【図１０】
2019109427.tif 000012